(57)【要約】【課題】装置とは離れた位置から当該装置の状態を簡易に確認する技術を提供する。【解決手段】第１入力部３４０は、第１センサにおける第１検知結果を受けつけるとともに、第２センサおける第２検知結果を受けつける。第２入力部３４２は、第１識別情報が含まれた信号を第１操作装置２８０ａから受付可能であるとともに、第２識別情報が含まれた信号を第２操作装置２８０ｂから受付可能である。制御部３４４は、受けつけた信号に第１識別情報が含まれている場合に、第１検知結果を出力させ、受けつけた信号に第２識別情報が含まれている場合に、第２検知結果を出力させる。【選択図】図１
2020202435.tif 000002
【特許請求の範囲】
【請求項１】
第１センサにおける第１検知結果を受けつけるとともに、第２センサおける第２検知結果を受けつける第１入力部と、
第１操作装置を識別するための第１識別情報が含まれた信号を前記第１操作装置から受付可能であるとともに、第２操作装置を識別するための第２識別情報が含まれた信号を前記第２操作装置から受付可能である第２入力部と、
前記第２入力部において受けつけた信号に前記第１識別情報が含まれている場合に、前記第１入力部において受けつけた前記第１検知結果を出力させ、前記第２入力部において受けつけた信号に前記第２識別情報が含まれている場合に、前記第１入力部において受けつけた前記第２検知結果を出力させる制御部と、
を備える制御装置。
【請求項２】
前記制御部における前記第１検知結果あるいは前記第２検知結果の出力先は、前記第１検知結果あるいは前記第２検知結果を表示可能な表示部、前記第１検知結果あるいは前記第２検知結果の音声を出力可能なスピーカ、本制御装置にネットワークを介して接続された携帯端末装置のうちの少なくとも１つである、
請求項１に記載の制御装置。
【請求項３】
前記第１入力部は、第３センサにおける第３検知結果を受けつけ、
前記制御部は、前記第２入力部において受けつけた信号に前記第２識別情報が含まれている場合に、第１状況であれば、前記第１入力部において受けつけた前記第２検知結果を出力させ、前記第１状況とは異なった第２状況であれば、前記第１入力部において受けつけた前記第３検知結果を出力させる、
請求項１または２に記載の制御装置。
【請求項４】
前記第１センサは、施設に設けられた開閉部材に設置されたセンサであって、かつ戸締まり状態を検知可能なセンサであり、
前記制御部は、前記第２入力部において受けつけた信号に前記第１識別情報が含まれ、かつ前記第１入力部において受けつけた前記第１検知結果が戸締まり状態を示す場合に、前記戸締まり状態が不完全な戸締まり状態に変化したときに警告を出力させる警戒モードを設定する、
請求項１に記載の制御装置。
【請求項５】
センサにおける検知結果を受けつける第１入力部と、
第１操作装置を識別するための第１識別情報が含まれた信号を前記第１操作装置から受付可能であるとともに、第２操作装置を識別するための第２識別情報が含まれた信号を前記第２操作装置から受付可能である第２入力部と、
前記第２入力部において受けつけた信号に前記第１識別情報が含まれている場合に、前記第１入力部において受けつけた前記検知結果を第１出力先へ出力させ、前記第２入力部において受けつけた信号に前記第２識別情報が含まれている場合に、前記第１入力部において受けつけた前記検知結果を、前記第１出力先とは異なる第２出力先へ出力させる制御部と、
を備える制御装置。
【請求項６】
前記制御部における前記第１出力先あるいは前記第２出力先は、前記検知結果を表示可能な表示部、前記検知結果の音声を出力可能なスピーカ、本制御装置にネットワークを介して接続された第１携帯端末装置あるいは第２携帯端末装置のうちの少なくとも１つである、
請求項５に記載の制御装置。
【請求項７】
前記センサは、施設に設けられた開閉部材に設置されたセンサであって、かつ戸締まり状態を検知可能なセンサであり、
前記制御部は、前記第２入力部において信号を受けつけ、かつ前記第１入力部において受けつけた前記検知結果が戸締まり状態を示す場合に、前記戸締まり状態が不完全な戸締まり状態に変化したときに警告を出力させる警戒モードを設定する、
請求項５に記載の制御装置。
【請求項８】
請求項１から７のいずれか１項に記載の前記第１操作装置あるいは前記第２操作装置を設定する設定装置であって、
設定者を識別するための登録情報を受けつけるとともに、前記第１操作装置を設定する場合に前記第１識別情報を受けつけ、前記第２操作装置を設定する場合に前記第２識別情報を受けつける入力部と、
前記入力部において受けつけた前記登録情報に対する認証処理を実行する認証部と、
前記認証部における認証処理が成功すれば、前記第１操作装置を設定する場合に前記入力部において受けつけた前記第１識別情報を前記第１操作装置に出力し、前記第２操作装置を設定する場合に前記入力部において受けつけた前記第２識別情報を前記第２操作装置に出力する出力部と、
を備える設定装置。
【請求項９】
第１センサにおける第１検知結果を受けつけるとともに、第２センサおける第２検知結果を受けつけるステップと、
第１操作装置を識別するための第１識別情報が含まれた信号を前記第１操作装置から受付可能であるとともに、第２操作装置を識別するための第２識別情報が含まれた信号を前記第２操作装置から受付可能であるステップと、
受けつけた信号に前記第１識別情報が含まれている場合に、受けつけた前記第１検知結果を出力させ、受けつけた信号に前記第２識別情報が含まれている場合に、受けつけた前記第２検知結果を出力させるステップと、
をコンピュータに実行させるためのプログラム。
【請求項１０】
センサにおける検知結果を受けつけるステップと、
第１操作装置を識別するための第１識別情報が含まれた信号を前記第１操作装置から受付可能であるとともに、第２操作装置を識別するための第２識別情報が含まれた信号を前記第２操作装置から受付可能であるステップと、
受けつけた信号に前記第１識別情報が含まれている場合に、受けつけた前記検知結果を第１出力先へ出力させ、受けつけた信号に前記第２識別情報が含まれている場合に、受けつけた前記検知結果を、前記第１出力先とは異なる第２出力先へ出力させるステップと、
をコンピュータに実行させるためのプログラム。
【発明の詳細な説明】
【技術分野】
【０００１】
本開示は、制御技術に関し、特に検知結果を出力する制御装置、設定装置、プログラムに関する。
【背景技術】
【０００２】
ワイヤレス送信器はワイヤレス信号を送信し、ワイヤレス受信器はワイヤレス信号を受信する。ワイヤレス送信器とワイヤレス受信器とは照明制御システムに適用可能である。照明制御システムでは、ワイヤレス送信器を操作することによって、壁に設置されているスイッチあるいは直接照明器具を操作しなくても、照明の点灯、消灯等が可能になる（例えば、特許文献１参照）。
【先行技術文献】
【特許文献】
【０００３】
【特許文献１】特開平９−６５４５７号公報
【発明の概要】
【発明が解決しようとする課題】
【０００４】
住宅等の施設に設置された照明器具等とは離れた位置から、照明器具等における点灯、消灯の状態を簡易に確認したいことがある。
【０００５】
本開示はこうした状況に鑑みなされたものであり、その目的は、装置とは離れた位置から当該装置の状態を簡易に確認する技術を提供することにある。
【課題を解決するための手段】
【０００６】
上記課題を解決するために、本開示のある態様の制御装置は、第１センサにおける第１検知結果を受けつけるとともに、第２センサおける第２検知結果を受けつける第１入力部と、第１操作装置を識別するための第１識別情報が含まれた信号を第１操作装置から受付可能であるとともに、第２操作装置を識別するための第２識別情報が含まれた信号を第２操作装置から受付可能である第２入力部と、第２入力部において受けつけた信号に第１識別情報が含まれている場合に、第１入力部において受けつけた第１検知結果を出力させ、第２入力部において受けつけた信号に第２識別情報が含まれている場合に、第１入力部において受けつけた第２検知結果を出力させる制御部と、を備える。
【０００７】
本開示の別の態様もまた、制御装置である。この装置は、センサにおける検知結果を受けつける第１入力部と、第１操作装置を識別するための第１識別情報が含まれた信号を第１操作装置から受付可能であるとともに、第２操作装置を識別するための第２識別情報が含まれた信号を第２操作装置から受付可能である第２入力部と、第２入力部において受けつけた信号に第１識別情報が含まれている場合に、第１入力部において受けつけた検知結果を第１出力先へ出力させ、第２入力部において受けつけた信号に第２識別情報が含まれている場合に、第１入力部において受けつけた検知結果を、第１出力先とは異なる第２出力先へ出力させる制御部と、を備える。
【０００８】
なお、以上の構成要素の任意の組合せ、本開示の表現を方法、装置、システム、コンピュータプログラム、またはコンピュータプログラムを記録した記録媒体などの間で変換したものもまた、本開示の態様として有効である。
【発明の効果】
【０００９】
本開示によれば、装置とは離れた位置から当該装置の状態を簡易に確認できる。
【図面の簡単な説明】
【００１０】
【図１】実施例１に係る制御システムの構成を示す図である。
【図２】図１の記憶部に記憶される状態テーブルのデータ構造を示す図である。
【図３】図３（ａ）−（ｂ）は、図１の記憶部に記憶される制御テーブルのデータ構造を示す図である。
【図４】図４（ａ）−（ｃ）は、図１の携帯端末装置の表示部に表示される画面を示す図である。
【図５】実施例１に係る設定装置の構成を示す図である。
【図６】図１の制御システムによる出力手順を示すフローチャートである。
【図７】図１の制御システムによる設定手順を示すフローチャートである。
【図８】実施例２に係る記憶部に記憶される制御テーブルのデータ構造を示す図である。
【図９】実施例２に係る制御システムによる出力手順を示すフローチャートである。
【発明を実施するための形態】
【００１１】
（実施例１）
本開示の実施例を具体的に説明する前に、本実施例の概要を説明する。実施例は、住宅等の施設に設置された複数の装置のそれぞれの状態を、当該装置から離れて位置において通知する制御システムに関する。装置の一例は、施設の開口部に設けられた扉、窓等の開閉部材に設置される開閉センサ、窓鍵センサ、電気錠等のセンサである。これらは、戸締まり状態を検知可能なセンサであるといえる。また、装置の別の一例は、照明装置、空調装置等の機器である。本実施例では、照明装置、空調装置等の機器においても状態を検知することに着目するので、このような機器もセンサであるといえる。これらのセンサは、施設に設置された制御装置に接続され、検知結果を制御装置に送信する。また、制御装置は、ネットワークを介して施設外のサーバに接続され、サーバには、スマートフォン等の情報端末装置からアクセス可能である。
【００１２】
制御装置には、押し釦だけのような簡易な構造を有する操作装置も複数接続可能である。各操作装置には、当該操作装置を識別するための識別情報が付与されており、例えば、第１操作装置には第１識別情報が付与され、第２操作装置には第２識別情報が付与される。ユーザが第１操作装置の押し釦を押し下げると、第１操作装置は、第１識別情報が含まれた無線信号を制御装置に送信し、ユーザが第２操作装置の押し釦を押し下げると、第２操作装置は、第２識別情報が含まれた無線信号を制御装置に送信する。制御装置は、各識別情報とセンサとの対応関係を予め保持する。例えば、第１識別情報と窓鍵センサとが対応づけられるとともに、第２識別情報と照明装置とが対応づけられる。制御装置は、受信した無線信号に第１識別情報が含まれている場合、窓鍵センサにおける検知結果をサーバ経由で情報端末装置に送信し、受信した無線信号に第２識別情報が含まれている場合、照明装置における検知結果をサーバ経由で情報端末装置に送信する。
【００１３】
このような構成によって、照明装置が設置された部屋とは別の部屋において、ユーザが第１操作装置の押し釦を押し下げると、窓鍵センサの状態、例えば施錠状態あるいは解錠状態を情報端末装置において確認可能である。また、玄関において、ユーザが第２操作装置の押し釦を押し下げると、照明装置の状態、例えば点灯あるいは消灯を情報端末装置において確認可能である。
【００１４】
図１は、制御システム１０００の構成を示す。制御システム１０００は、窓鍵センサ２２０、照明装置２４０、空調装置２６０、操作装置２８０と総称される第１操作装置２８０ａ、第２操作装置２８０ｂ、制御装置３００、ルータ４００、スピーカ４１０、ネットワーク４２０、サーバ４４０、携帯端末装置５００を含む。ここで、窓鍵センサ２２０、照明装置２４０、空調装置２６０の数はそれぞれ「１」とされ、操作装置２８０の数は「２」とされているが、それらに限定されない。戸締まり状態を検知可能なセンサは窓鍵センサ２２０に限定されない。例えば、開閉センサ、電気錠が含まれてもよい。また、機器は、照明装置２４０、空調装置２６０に限定されない。
【００１５】
窓鍵センサ２２０は、検知部２２２、制御部２２４、通信部２２６を含み、照明装置２４０は、制御部２４２、操作部２４４、通信部２４６を含み、空調装置２６０は、制御部２６２、操作部２６４、通信部２６６を含み、操作装置２８０は、押し釦２８２、制御部２８４、通信部２８６を含む。制御装置３００は、第１通信部３１０、第２通信部３１２、記憶部３１４、操作部３１６、報知部３１８、処理部３３０を含み、処理部３３０は、第１入力部３４０、第２入力部３４２、制御部３４４、出力部３４６を含む。
【００１６】
窓鍵センサ２２０、照明装置２４０、空調装置２６０、操作装置２８０、制御装置３００、ルータ４００、スピーカ４１０は、施設１００に設置され、ネットワーク４２０、サーバ４４０は、施設１００の外部に設置される。施設１００は、制御システム１０００による制御の対象となる建物であり、例えば戸建て住宅である。施設１００は戸建て住宅に限定されず、集合住宅の住戸でもよいし、オフィスビル、商業施設などでもよい。施設１００の開口部には、扉、窓等の開閉部材が設けられる。開閉部材には、当該開閉部材の戸締まり状態を検知可能なセンサとして、窓鍵センサ２２０が設置される。施設１００の部屋には照明装置２４０、空調装置２６０が設置される。窓鍵センサ２２０、照明装置２４０、空調装置２６０は、制御装置３００との間で無線通信を実行する。無線通信として、例えば、特定小電力無線が使用されるが、これに限定されず、さらに有線通信が実行されてもよい。
【００１７】
窓鍵センサ２２０は、施設１００の開口部に設けられた開閉部材の施解錠状態（施錠状態あるいは解錠状態）を検知可能な施解錠センサである。開閉部材が窓である場合、窓鍵センサ２２０は、クレセント錠センサとも呼ばれ、例えば、クレセント錠のハンドルに取り付けられた磁石と、クレセント錠のハンドルが施錠位置にある場合に磁石に対向する磁気センサとを有する。窓鍵センサ２２０の検知部２２２は、磁気センサによって検出される磁気の大きさに基づいて開閉部材が施錠状態であるか解錠状態であるかを検知する。制御部２２４は、検知部２２２において検知された開閉部材の施解錠状態（施錠状態あるいは解錠状態）が変化すると、開閉部材の施解錠状態を示す検知結果を通信部２２６から制御装置３００に送信させる。
【００１８】
また、検知部２２２は、窓鍵センサ２２０を駆動させる電池の残量を検知する。電池残量の検知には公知の技術が使用されればよいので、ここでは説明を省略する。電池残量は、例えば、８０％、５０％のように示される。制御部２２４は、検知部２２２において検知された電池残量が変化すると、電池残量を通信部２２６から制御装置３００に送信させる。ここで、電池残量の送信は、電池残量が変化する度ではなく、５％のような所定の量だけ変化した場合になされてもよい。
【００１９】
照明装置２４０は、点灯することによって施設１００の部屋を照明する。操作部２４４は、例えば、押し下げ可能な釦であり、ユーザにより押し下げられることによって点灯あるいは消灯の操作入力を受けつける。操作部２４４は、ユーザによる操作入力を受けつけると、操作入力に応じた操作信号を制御部２４２に出力する。制御部２４２は、例えば、プロセッサおよびメモリを有するマイクロコンピュータで構成される。プロセッサがプログラムを実行することにより、コンピュータシステムによって制御部２４２の各種の機能が実現される。制御部２４２は、操作部２４４から受けつけた操作信号をもとに、点灯したり、消灯したりする。制御部２４２は、点灯あるいは消灯を設定するが、設定した照明の状態（点灯あるいは消灯）を検知可能であるので、照明センサであるともいえる。制御部２４２は、検知した照明の状態（点灯あるいは消灯）が変化すると、照明の状態を示す検知結果を通信部２４６から制御装置３００に送信させる。
【００２０】
空調装置２６０は、冷房、暖房、送風等を実行することによって施設１００の温度あるいは湿度を調節する。操作部２６４は、例えば、押し下げ可能な釦であり、ユーザにより押し下げられることによって動作あるいは停止の操作入力を受けつける。操作部２６４は、設定温度の操作入力を受けつけてもよい。操作部２６４は、ユーザによる操作入力を受けつけると、操作入力に応じた操作信号を制御部２６２に出力する。制御部２６２は、例えば、プロセッサおよびメモリを有するマイクロコンピュータで構成される。プロセッサがプログラムを実行することにより、コンピュータシステムによって制御部２６２の各種の機能が実現される。制御部２６２は、操作部２６４から受けつけた操作信号をもとに、冷房、暖房、送風等を実行する。制御部２６２は、冷房、暖房、送風等の動作、停止、設定温度を設定するが、設定した空調の状態（動作、停止、設定温度）を検知可能であるので、空調センサであるともいえる。制御部２６２は、検知した空調の状態（動作、停止、設定温度）が変化すると、空調の状態を示す検知結果を通信部２６６から制御装置３００に送信させる。
【００２１】
窓鍵センサ２２０、照明装置２４０、空調装置２６０は、検知内容が互いに異なるセンサである。以下では、窓鍵センサ２２０、照明装置２４０、空調装置２６０を「センサ」と総称することもある。
【００２２】
制御装置３００の第１通信部３１０は、前述のごとく、例えば特定小電力無線に対応し、窓鍵センサ２２０、照明装置２４０、空調装置２６０のそれぞれから検知結果を受信する。検知結果には、送信元になるセンサを識別するための識別情報（以下、「センサ識別情報」という）が含まれる。第１通信部３１０は、検知結果を処理部３３０に出力する。第１通信部３１０は、窓鍵センサ２２０から電池残量を受信する。電池残量にもセンサ識別情報が含まれる。第１通信部３１０は、電池残量を処理部３３０に出力する。
【００２３】
処理部３３０は、受けつけた検知結果あるいは電池残量を記憶部３１４に記憶する。記憶部３１４は、検知結果および電池残量をセンサ識別情報毎に記憶する。これは、検知結果および電池残量をセンサ毎に記憶することに相当する。図２は、記憶部３１４に記憶される状態テーブルのデータ構造を示す。窓鍵センサ２２０に対して、検知結果として「施錠状態」あるいは「解錠状態」が示されるとともに、電池残量の値が示される。照明装置２４０に対して、検知結果として「点灯」あるいは「消灯」が示される。空調装置２６０に対して、検知結果として「動作中」あるいは「停止」が示されるとともに、「動作中」である場合に「設定温度」も示される。ここで、「解錠状態」が、不完全な戸締まり状態であるといえる。図１に戻る。
【００２４】
処理部３３０は、窓鍵センサ２２０、照明装置２４０、空調装置２６０のそれぞれに対して、接続を確認するための確認信号を第１通信部３１０から定期的に送信させる。窓鍵センサ２２０、照明装置２４０、空調装置２６０のそれぞれは、確認信号を受信すると、確認信号に対する応答を示すための応答信号を制御装置３００に送信する。応答信号にもセンサ識別情報が含まれる。制御装置３００の第１通信部３１０は、応答信号を受信すると、応答信号を処理部３３０に出力する。このような処理によって、処理部３３０は、確認信号に対する応答信号を受信したセンサとの通信が可能であると判定する。一方、処理部３３０は、確認信号に対する応答信号を一定期間受信しないセンサとの通信が不可能であると判定する。処理部３３０は、通信可能であるか通信不可能であるかを示す通信状態をセンサ識別情報毎に記憶する。図２に示される状態テーブルにおいて、各センサに対する通信状態として「通信可能」あるいは「通信不可能」が示される。
【００２５】
第２通信部３１２は、例えば、無線通信あるいは有線通信を実行し、ルータ４００に接続される。無線通信として、例えば、無線ＬＡＮ（Ｌｏｃａｌ  Ａｒｅａ  Ｎｅｔｗｏｒｋ）が使用されるが、これに限定されない。ルータ４００には、スピーカ４１０が接続されており、第２通信部３１２は、ルータ４００を介してスピーカ４１０と通信する。例えば、第２通信部３１２は、音声信号をルータ４００経由でスピーカ４１０に送信する。スピーカ４１０は、受信した音声信号をもとに音声を出力する。スピーカ４１０は、マイクロフォンを備えることによって外部からの音声を受けつけ、音声をもとにした音声信号をルータ４００経由で第２通信部３１２に送信してもよい。
【００２６】
また、ルータ４００は、ネットワーク４２０を介してサーバ４４０に接続される。サーバ４４０は、ネットワーク４２０を介して携帯端末装置５００を接続する。このような構成において制御装置３００と携帯端末装置５００は、サーバ４４０を介して接続される。つまり、サーバ４４０は、制御装置３００と携帯端末装置５００とを接続するための機能を有する。
【００２７】
携帯端末装置５００は、例えば、スマートフォン、タブレット端末装置、携帯電話装置であり、施設１００に居住するユーザによって使用される。携帯端末装置５００は、無線通信を実行することによって、前述のごとくネットワーク４２０を介してサーバ４４０に接続される。無線通信として、例えば、ＬＴＥ（Ｌｏｎｇ  Ｔｅｒｍ  Ｅｖｏｌｕｔｉｏｎ）等の携帯電話システムあるいは無線ＬＡＮが使用されるが、これに限定されない。携帯端末装置５００には、プロセッサおよびメモリを有するマイクロコンピュータが含まれ、プロセッサがプログラムを実行することにより、コンピュータシステムによって各種の機能が実現される。本実施例では、制御システム１０００における処理を実行可能なアプリケーションプログラム（以下、「制御システムアプリケーション」という）が実行される。
【００２８】
操作装置２８０は、例えば、リモートコントローラである。前述のごとく、各操作装置２８０を識別するための識別情報が規定されており、第１操作装置２８０ａには第１識別情報が付与され、第２操作装置２８０ｂには第２識別情報が付与される。押し釦２８２は、例えば、押し下げ可能な釦である。押し釦２８２はユーザによる押し下げを検知すると、押し下げを制御部２８４に通知する。制御部２８４は、押し下げを通知されると、無線信号を通信部２８６に出力する。無線信号には識別情報が含まれる。そのため、第１操作装置２８０ａの制御部２８４から出力される無線信号には第１識別情報が含まれ、第２操作装置２８０ｂの制御部２８４から出力される無線信号には第２識別情報が含まれる。無線信号には識別情報以外の情報が含まれてもよい。通信部２８６は、無線信号を制御部２８４から受けつける。通信部２８６は、特定小電力無線に対応し、制御装置３００に無線信号を送信する。
【００２９】
制御装置３００の第１通信部３１０は、操作装置２８０からの無線信号を受信する。第１通信部３１０は無線信号を処理部３３０に出力する。処理部３３０の第１入力部３４０は、窓鍵センサ２２０、照明装置２４０、空調装置２６０のそれぞれにおける検知結果を記憶部３１４から受けつける。また、第１入力部３４０は、窓鍵センサ２２０における電池残量を記憶部３１４から受けつける。さらに、第１入力部３４０は、窓鍵センサ２２０、照明装置２４０、空調装置２６０のそれぞれにおける通信状態を受けつける。第１入力部３４０における情報の受付は、記憶部３１４に記憶された情報が更新されるタイミングで逐次なされる。第１入力部３４０は、受けつけた情報を制御部３４４に出力する。
【００３０】
第２入力部３４２は、第１通信部３１０において受信した無線信号を受付可能である。つまり、第２入力部３４２は、第１識別情報が含まれた無線信号を第１操作装置２８０ａから受付可能であるとともに、第２識別情報が含まれた無線信号を第２操作装置２８０ｂから受付可能である。第２入力部３４２は、受けつけた無線信号を制御部３４４に出力する。
【００３１】
記憶部３１４は、識別情報と、検知結果等の情報源とを対応づけた制御テーブルを記憶する。図３（ａ）−（ｂ）は、記憶部３１４に記憶される制御テーブルのデータ構造を示す。図３（ａ）において「識別情報」に示される「１」は前述の第１識別情報に相当し、「２」は前述の第２識別情報に相当する。また、「識別情報」の「１」は、「情報源」の窓鍵センサ２２０に対応づけられるとともに、「出力先」の携帯端末装置５００に対応づけられる。さらに、「識別情報」の「２」は、「情報源」の照明装置２４０に対応づけられるとともに、「出力先」の携帯端末装置５００に対応づけられる。図３（ｂ）については後述して、図１に戻る。
【００３２】
制御部３４４は、第２入力部３４２において受けつけた無線信号から識別情報を抽出する。制御部３４４は、記憶部３１４に記憶した制御テーブルを参照して、識別情報に対応した情報源と出力先を特定する。制御部３４４は、識別情報が第１識別情報である場合、「情報源」の窓鍵センサ２２０と、「出力先」の携帯端末装置５００とを特定する。制御部３４４は、窓鍵センサ２２０のセンサ識別情報、窓鍵センサ２２０における検知結果と電池残量と通信状態を格納した信号であって、かつ出力先を携帯端末装置５００に設定した信号を生成し、当該信号を出力部３４６に出力する。出力部３４６は、制御部３４４から受けつけた信号を第２通信部３１２に送信させる。
【００３３】
一方、制御部３４４は、識別情報が第２識別情報である場合、「情報源」の照明装置２４０と、「出力先」の携帯端末装置５００とを特定する。制御部３４４は、照明装置２４０のセンサ識別情報、照明装置２４０における検知結果と通信状態を格納した信号であって、かつ出力先を携帯端末装置５００に設定した信号を生成し、当該信号を出力部３４６に出力する。出力部３４６は、制御部３４４から受けつけた信号を第２通信部３１２に送信させる。
【００３４】
第２通信部３１２は、出力部３４６から受けつけた信号を、ルータ４００、ネットワーク４２０経由でサーバ４４０に送信するとともに、サーバ４４０に対して当該信号を携帯端末装置５００に送信させる。サーバ４４０は、第２通信部３１２からの指示にしたがって、ネットワーク４２０経由で携帯端末装置５００に信号を送信する。
【００３５】
携帯端末装置５００は、サーバ４４０からの信号を受信する。携帯端末装置５００において実行される制御システムアプリケーションは、受信した信号に含まれた情報を抽出する。第１操作装置２８０ａにおける操作を起点とする場合、抽出された情報は、窓鍵センサ２２０のセンサ識別情報、窓鍵センサ２２０における検知結果と電池残量と通信状態を含む。第２操作装置２８０ｂにおける操作を起点とする場合、抽出された情報は、照明装置２４０のセンサ識別情報、照明装置２４０における検知結果と通信状態を含む。携帯端末装置５００は、これらの情報が示された画面を生成し、画面を表示部（図示せず）に表示する。
【００３６】
図４（ａ）−（ｃ）は、携帯端末装置５００の表示部に表示される画面を示す。図４（ａ）は、窓鍵センサ２２０のセンサ識別情報、窓鍵センサ２２０における検知結果と電池残量と通信状態を受けつけた場合の画面である。携帯端末装置５００において実行される制御システムアプリケーションは、センサ識別情報をもとに窓鍵センサ２２０を特定する。また、制御システムアプリケーションには、窓鍵センサ２２０の取付位置「リビングの窓」が設定されている。また、受けつけた検知結果が施錠状態であるとする。これらより、「リビングの窓の鍵は施錠されています」とのメッセージを示す画面が表示される。受けつけた検知結果が解錠状態である場合、「解錠されています」とのメッセージが示される。図４（ａ）では、電池残量と通信状態が示されていないが、これらが示されてもよい。
【００３７】
図４（ｂ）は、照明装置２４０のセンサ識別情報、照明装置２４０における検知結果と通信状態を受けつけた場合の画面である。携帯端末装置５００において実行される制御システムアプリケーションは、センサ識別情報をもとに照明装置２４０を特定する。また、制御システムアプリケーションには、照明装置２４０の取付位置「リビング」が設定されている。また、受けつけた検知結果が点灯であるとする。これらより、「リビングの照明は点灯しています」とのメッセージを示す画面が表示される。受けつけた検知結果が消灯である場合、「消灯しています」とのメッセージが示される。図４（ｂ）では、通信状態が示されていないが、これが示されてもよい。図４（ｃ）については後述し、図１に戻る。
【００３８】
ここまでは、記憶部３１４に記憶される制御テーブルが図３（ａ）であるとしていたが、制御テーブルは図３（ｂ）のように示されてもよい。図３（ｂ）の制御テーブルは、図３（ａ）の制御テーブルと比較して、「条件」が追加される。「条件」が「８：００〜２０：００」であれば、「識別情報」の「２」は、「情報源」の空調装置２６０に対応づけられるとともに、「出力先」の携帯端末装置５００に対応づけられる。一方、「条件」が「２０：００〜８：００」であれば、「識別情報」の「２」は、「情報源」の照明装置２４０に対応づけられるとともに、「出力先」の携帯端末装置５００に対応づけられる。図１に戻る。
【００３９】
制御部３４４は、識別情報が第２識別情報である場合、制御部３４４における計時機能から時刻を取得する。取得した時刻が「条件」の「８：００〜２０：００」に含まれていれば、制御部３４４は、「情報源」の空調装置２６０と、「出力先」の携帯端末装置５００とを特定する。制御部３４４は、空調装置２６０のセンサ識別情報、空調装置２６０における検知結果と通信状態を格納した信号であって、かつ出力先を携帯端末装置５００に設定した信号を生成し、当該信号を出力部３４６に出力する。一方、取得した時刻が「条件」の「２０：００〜８：００」に含まれていれば、制御部３４４は、「情報源」の照明装置２４０と、「出力先」の携帯端末装置５００とを特定する。制御部３４４は、照明装置２４０のセンサ識別情報、照明装置２４０における検知結果と通信状態を格納した信号であって、かつ出力先を携帯端末装置５００に設定した信号を生成し、当該信号を出力部３４６に出力する。出力部３４６は、制御部３４４から受けつけた信号を第２通信部３１２に送信させる。
【００４０】
携帯端末装置５００は、これまでと同様の処理を実行し、受信した信号から抽出した情報が示された画面を生成し、画面を表示部（図示せず）に表示する。図４（ｃ）は、空調装置２６０のセンサ識別情報、空調装置２６０における検知結果と通信状態を受けつけた場合の画面である。携帯端末装置５００において実行される制御システムアプリケーションは、センサ識別情報をもとに空調装置２６０を特定する。また、制御システムアプリケーションには、空調装置２６０の取付位置「寝室」が設定されている。また、受けつけた検知結果が動作中および設定温度２５℃であるとする。これらより、「寝室のエアコンは設定温度２５℃で動作しています」とのメッセージを示す画面が表示される。受けつけた検知結果が停止である場合、「停止しています」とのメッセージが示される。図４（ｃ）では、通信状態が示されていないが、これが示されてもよい。図４（ｃ）は、「条件」が「８：００〜２０：００」である場合に相当し、図４（ｂ）は、「条件」が「２０：００〜８：００」である場合に相当する。図１に戻る。
【００４１】
このように、制御装置３００の制御部３４４は、信号に第２識別情報が含まれている場合に、第１状況であれば、空調装置２６０に関する情報を出力させ、第１状況とは異なった第２状況であれば、照明装置２４０に関する情報を出力させる。第１状況は「条件」の「８：００〜２０：００」に対応し、第２状況は「条件」の「２０：００〜８：００」に対応する。つまり、制御部３４４は、同一の識別情報であっても、条件に応じて、情報源と出力先とを変更する。ここで、条件は時刻に対して設定されているが、時刻に限定されない。例えば、天候に対して設定されてもよい。その際、制御部３４４は、インターネットを介して天気予報のサーバに接続し、当該天気予報のサーバから天候の情報を取得し、天候の情報に応じて対応づけを変更する。
【００４２】
これまで、出力先は、携帯端末装置５００とされており、検知結果が携帯端末装置５００の画面から表示される。しかしながら、検知結果が携帯端末装置５００のスピーカから音声として出力されてもよい。また、出力先は、制御装置３００における報知部３１８とされてもよい。報知部３１８は、例えばディスプレイであり、図４（ａ）−（ｃ）と同様の画面を表示する。報知部３１８は、例えばスピーカであり、検知結果の音声を出力してもよい。さらに、出力先は、第２通信部３１２に対してルータ４００を介して接続されたスピーカ４１０であってもよい。スピーカ４１０は、例えば、検知結果の音声を出力する。
【００４３】
さらに、制御装置３００は次の処理を実行してもよい。制御装置３００の操作部３１６は、警戒モードと在宅モードのうちの一方を選択する指示を受けつける。処理部３３０は、警戒モードと在宅モードとを実行可能であり、警戒モードの選択の指示を受けつけた場合に警戒モードを設定し、在宅モードの選択の指示を受けつけた場合に在宅モードを設定する。在宅モードに設定されている場合、処理部３３０は、第１通信部３１０において受けつけた検知結果であって、かつ窓鍵センサ２２０における検知結果が施錠状態から解錠状態に変化しても、異常が発生したと検知しない。
【００４４】
一方、警戒モードに設定されている場合、処理部３３０は、第１通信部３１０において受けつけた検知結果であって、かつ窓鍵センサ２２０における検知結果が施錠状態から解錠状態に変化したときに、異常が発生したと検知する。処理部３３０は、異常が発生したと検知した場合、出力部３４６に警告を出力させる。これに応じて、携帯端末装置５００は、警告を知らせるための画面を表示したり、あるいは警告を知らせるための音声を出力したりする。警告の出力はこれらに限定されず、報知部３１８は、警告を知らせるための画面を表示してもよく、スピーカ４１０は、警告を知らせるための音声を出力してもよい。このような状況下において、第２入力部３４２において受けつけた無線信号に第１識別情報が含まれ、かつ第１入力部３４０において受けつけた窓鍵センサ２２０の検知結果が施錠状態を示す場合に、処理部３３０は、在宅モードを警戒モードに切りかえて設定してもよい。
【００４５】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００４６】
これまで説明したように、制御装置３００は、操作装置２８０に設定された識別情報をもとに、出力すべき検知結果を切りかえている。そのため、操作装置２８０を使用するためには、操作装置２８０に識別情報を予め設定する必要がある。この設定は、簡易である方が好ましいが、セキュリティの低下を抑制するために、変更可能な人を制限することが望まれる。このような要求を満たすために、本実施例に係る設定装置６００は次の構成を有する。
【００４７】
図５は、設定装置６００の構成を示す。設定装置６００は、入力部６１０、記憶部６１２、認証部６１４、制御部６１６、出力部６１８を含む。スマートフォン等の通信装置である端末装置（図示せず）は、予めインストールされたアプリケーションプログラムを実行可能であり、設定者は、アプリケーションプログラムを実行させるとともに、登録情報を使用してアプリケーションプログラムにログインする。端末装置は、図１の携帯端末装置５００と同一であってもよい。登録情報は、操作装置２８０を設定可能な設定者を識別するための情報である。設定者は、設定すべき第１識別情報あるいは第２識別情報を入力する。端末装置は、第１識別情報あるいは第２識別情報、登録情報が含まれた信号（以下、「登録要求」という）を設定装置６００に送信する。
【００４８】
設定装置６００は操作装置２８０、例えば、第１操作装置２８０ａあるいは第２操作装置２８０ｂを設定する。設定装置６００の入力部６１０は、端末装置との間で通信を実行可能であり、登録要求を端末装置から受信する。第１識別情報あるいは第２識別情報が設定の対象である。そのため、入力部６１０は、登録情報を受けつけるとともに、第１操作装置２８０ａを設定する場合に第１識別情報を受けつけ、第２操作装置２８０ｂを設定する場合に第２識別情報を受けつけるといえる。入力部６１０は、登録要求に含まれた情報を認証部６１４に出力する。
【００４９】
記憶部６１２は、既に登録された登録情報を記憶する。認証部６１４は、記憶部６１２に記憶された登録情報を参照することによって、入力部６１０において受けつけた登録情報に対する認証処理を実行する。例えば、認証部６１４は、入力部６１０において受けつけた登録情報が登録されていれば、認証処理が成功であると判定する。一方、認証部６１４は、入力部６１０において受けつけた登録情報が登録されていなければ、認証処理が失敗であると判定する。認証処理はこのような処理に限定されない。認証部６１４は、認証処理が失敗した場合に、処理を終了させる。一方、認証部６１４は、認証処理が成功した場合に、入力部６１０から受けつけた情報を制御部６１６に出力する。
【００５０】
制御部６１６は、認証部６１４における認証処理が成功した場合に、入力部６１０から受けつけた第１識別情報あるいは第２識別情報が含まれた信号（以下、「設定信号」という）を生成する。制御部６１６は、設定信号を出力部６１８に出力する。出力部６１８は、操作装置２８０との間で通信を実行可能であり、設定信号を操作装置２８０に送信する。具体的に説明すると、出力部３４６は、認証処理が成功すれば、第１操作装置２８０ａを設定する場合に、第１識別情報が含まれた設定信号を第１操作装置２８０ａに出力する。一方、出力部３４６は、認証処理が成功すれば、第２操作装置２８０ｂを設定する場合に、第２識別情報が含まれた設定信号を第２操作装置２８０ｂに出力する。
【００５１】
操作装置２８０の通信部２８６は、設定信号を設定装置６００から受信する。第１操作装置２８０ａの通信部２８６は、第１識別情報を設定信号から取得し、これを制御部２８４に出力する。第２操作装置２８０ｂの通信部２８６は、第２識別情報を設定信号から取得し、これを制御部２８４に出力する。制御部２８４は、受けつけた第１識別情報あるいは第２識別情報を設定する。
【００５２】
以上の構成による制御システム１０００の動作を説明する。図６は、制御システム１０００による出力手順を示すフローチャートである。第１入力部３４０は窓鍵センサ２２０における検知結果を受けつけ（Ｓ１０）、照明装置２４０における検知結果を受けつける（Ｓ１２）。第２入力部３４２は無線信号を受けつける（Ｓ１４）。識別情報が「１」である場合（Ｓ１６のＹ）、制御部３４４は、窓鍵センサ２２０における検知結果を出力部３４６に出力させる（Ｓ１８）。識別情報が「１」でない場合（Ｓ１６のＮ）、例えば、識別情報が「２」であれば、制御部３４４は、照明装置２４０における検知結果を出力部３４６に出力させる（Ｓ２０）。
【００５３】
図７は、制御システム１０００による設定手順を示すフローチャートである。出力部３４６は、窓鍵センサ２２０における検知結果を出力する（Ｓ５０）。検知結果が施錠状態である場合（Ｓ５２のＹ）、制御部３４４は警戒モードを設定する（Ｓ５４）。検知結果が施錠状態でない場合（Ｓ５２のＮ）、制御部３４４は在宅モードを設定する（Ｓ５６）。
【００５４】
本実施例によれば、第１識別情報を第１操作装置２８０ａから受けつけた場合に第１検知結果を出力させ、第２識別情報を第２操作装置２８０ｂから受けつけた場合に第２検知結果を出力させるので、装置とは離れた位置から当該装置の状態を簡易に確認できる。また、報知部３１８、スピーカ４１０、携帯端末装置５００のうちの少なくとも１つに、第１検知結果あるいは第２検知結果を出力するので、装置の状態を知らせる手段の自由度を向上できる。また、第１状況であれば第２検知結果を出力させ、第２状況であれば第３検知結果を出力させるので、出力させる検知結果の自由度を向上できる。また、第１検知結果が戸締まり状態を示す場合に警戒モードを設定するので、セキュリティを向上できる。また、登録情報に対する認証処理が成功した場合に、第１識別情報を第１操作装置２８０ａに出力したり、第２識別情報を第２操作装置２８０ｂに出力したりするので、セキュリティの低下を抑制できる。
【００５５】
本開示の一態様の概要は、次の通りである。本開示のある態様の制御装置（３００）は、第１センサにおける第１検知結果を受けつけるとともに、第２センサおける第２検知結果を受けつける第１入力部（３４０）と、第１操作装置（２８０ａ）を識別するための第１識別情報が含まれた信号を第１操作装置（２８０ａ）から受付可能であるとともに、第２操作装置（２８０ｂ）を識別するための第２識別情報が含まれた信号を第２操作装置（２８０ｂ）から受付可能である第２入力部（３４２）と、第２入力部（３４２）において受けつけた信号に第１識別情報が含まれている場合に、第１入力部（３４０）において受けつけた第１検知結果を出力させ、第２入力部（３４２）において受けつけた信号に第２識別情報が含まれている場合に、第１入力部（３４０）において受けつけた第２検知結果を出力させる制御部（３４４）と、を備える。
【００５６】
制御部（３４４）における第１検知結果あるいは第２検知結果の出力先は、第１検知結果あるいは第２検知結果を表示可能な報知部（３１８）、第１検知結果あるいは第２検知結果の音声を出力可能なスピーカ（４１０）、本制御装置（３００）にネットワーク（４２０）を介して接続された携帯端末装置（５００）のうちの少なくとも１つである。
【００５７】
第１入力部（３４０）は、第３センサにおける第３検知結果を受けつけ、制御部（３４４）は、第２入力部（３４２）において受けつけた信号に第２識別情報が含まれている場合に、第１状況であれば、第１入力部（３４０）において受けつけた第２検知結果を出力させ、第１状況とは異なった第２状況であれば、第１入力部（３４０）において受けつけた第３検知結果を出力させる。
【００５８】
第１センサは、施設に設けられた開閉部材に設置されたセンサであって、かつ戸締まり状態を検知可能なセンサであり、制御部（３４４）は、第２入力部（３４２）において受けつけた信号に第１識別情報が含まれ、かつ第１入力部（３４０）において受けつけた第１検知結果が戸締まり状態を示す場合に、戸締まり状態が不完全な戸締まり状態に変化したときに警告を出力させる警戒モードを設定する。
【００５９】
第１操作装置（２８０ａ）あるいは第２操作装置（２８０ｂ）を設定する設定装置（６００）であって、設定者を識別するための登録情報を受けつけるとともに、第１操作装置（２８０ａ）を設定する場合に第１識別情報を受けつけ、第２操作装置（２８０ｂ）を設定する場合に第２識別情報を受けつける入力部（６１０）と、入力部（６１０）において受けつけた登録情報に対する認証処理を実行する認証部（６１４）と、認証部（６１４）における認証処理が成功すれば、第１操作装置（２８０ａ）を設定する場合に入力部（６１０）において受けつけた第１識別情報を第１操作装置（２８０ａ）に出力し、第２操作装置（２８０ｂ）を設定する場合に入力部（６１０）において受けつけた第２識別情報を第２操作装置（２８０ｂ）に出力する出力部（６１８）と、を備えてもよい。
【００６０】
（実施例２）
次に実施例２を説明する。実施例２は、実施例１と同様に、住宅等の施設に設置された装置の状態を、当該装置から離れて位置において通知する制御システム１０００に関する。実施例１では、操作する操作装置２８０を変えることによって、別の装置における検知結果が通知される。一方、実施例２では、操作する操作装置２８０を変えることによって、検知結果の出力先が変更される。実施例２に係る制御システム１０００の構成は、図１と同様のタイプである。ここでは、実施例１との差異を中心に説明する。
【００６１】
ここでは、一例として、第１操作装置２８０ａと第２操作装置２８０ｂが、施設１００の玄関に異なった高さで設置されている場合を想定する。第１操作装置２８０ａは第２操作装置２８０ｂよりも高い位置に設置されており、例えば、第１操作装置２８０ａは、大人が操作しやすい高さに設置され、第２操作装置２８０ｂは、子供が操作しやすい高さに設置される。
【００６２】
図８は、記憶部３１４に記憶される制御テーブルのデータ構造を示す。「識別情報」の「１」は、「情報源」の窓鍵センサ２２０に対応づけられるとともに、「出力先」の携帯端末装置５００に対応づけられる。また、「識別情報」の「２」は、「情報源」の窓鍵センサ２２０に対応づけられるとともに、「出力先」のスピーカ４１０に対応づけられる。つまり、「識別情報」の「１」と「２」とに対して、互いに異なった出力が設定される。図１に戻る。
【００６３】
制御部３４４は、第２入力部３４２において受けつけた無線信号から識別情報を抽出する。制御部３４４は、記憶部３１４に記憶した制御テーブルを参照して、識別情報に対応した情報源と出力先を特定する。制御部３４４は、識別情報が第１識別情報である場合、「情報源」の窓鍵センサ２２０と、「出力先」の携帯端末装置５００とを特定する。制御部３４４は、窓鍵センサ２２０のセンサ識別情報、窓鍵センサ２２０における検知結果と電池残量と通信状態を格納した信号であって、かつ出力先を携帯端末装置５００に設定した信号を生成し、当該信号を出力部３４６に出力する。出力部３４６は、制御部３４４から受けつけた信号を第２通信部３１２に送信させる。第２通信部３１２は、出力部３４６から受けつけた信号を、ルータ４００、ネットワーク４２０経由でサーバ４４０に送信するとともに、サーバ４４０に対して当該信号を携帯端末装置５００に送信させる。サーバ４４０は、第２通信部３１２からの指示にしたがって、ネットワーク４２０経由で携帯端末装置５００に信号を送信する。これに続いて、携帯端末装置５００では、図４（ａ）と同様の画面が表示される。
【００６４】
一方、制御部３４４は、識別情報が第２識別情報である場合、「情報源」の窓鍵センサ２２０と、「出力先」のスピーカ４１０とを特定する。制御部３４４は、窓鍵センサ２２０のセンサ識別情報、窓鍵センサ２２０における検知結果と電池残量と通信状態を格納した信号であって、かつ出力先をスピーカ４１０に設定した信号を生成し、当該信号を出力部３４６に出力する。出力部３４６は、制御部３４４から受けつけた信号を第２通信部３１２に送信させる。第２通信部３１２は、出力部３４６から受けつけた信号を、ルータ４００経由でスピーカ４１０に送信する。スピーカ４１０は、例えば、検知結果の音声を出力する。
【００６５】
以上の構成による制御システム１０００の動作を説明する。図９は、制御システム１０００による出力手順を示すフローチャートである。第１操作装置２８０ａは、押し釦２８２を押し下げられ（Ｓ１００）、無線信号を送信する（Ｓ１０２）。制御装置３００は検知結果を携帯端末装置５００に送信する（Ｓ１０４）。携帯端末装置５００は検知結果を表示する（Ｓ１０６）。第２操作装置２８０ｂは、押し釦２８２を押し下げられ（Ｓ１０８）、無線信号を送信する（Ｓ１１０）。制御装置３００は検知結果の画面をスピーカ４１０に送信する（Ｓ１１２）。スピーカ４１０は検知結果の音声を出力する（Ｓ１１４）。
【００６６】
本実施例によれば、第１識別情報を第１操作装置２８０ａから受けつけた場合に検知結果を第１出力先へ出力させ、第２識別情報を第２操作装置２８０ｂから受けつけた場合に検知結果を第２出力先へ出力させるので、装置とは離れた位置から当該装置の状態を簡易に確認できる。また、報知部３１８、スピーカ４１０、携帯端末装置５００のうちの少なくとも１つを第１出力先あるいは第２出力先とするので、装置の状態を知らせる手段の自由度を向上できる。また、検知結果が戸締まり状態を示す場合に警戒モードを設定するので、セキュリティを向上できる。
【００６７】
本開示の一態様の概要は、次の通りである。本開示の別の態様もまた、制御装置（３００）である。この装置は、センサにおける検知結果を受けつける第１入力部（３４０）と、第１操作装置（２８０ａ）を識別するための第１識別情報が含まれた信号を第１操作装置（２８０ａ）から受付可能であるとともに、第２操作装置（２８０ｂ）を識別するための第２識別情報が含まれた信号を第２操作装置（２８０ｂ）から受付可能である第２入力部（３４２）と、第２入力部（３４２）において受けつけた信号に第１識別情報が含まれている場合に、第１入力部（３４０）において受けつけた検知結果を第１出力先へ出力させ、第２入力部（３４２）において受けつけた信号に第２識別情報が含まれている場合に、第１入力部（３４０）において受けつけた検知結果を、第１出力先とは異なる第２出力先へ出力させる制御部（３４４）と、を備える。
【００６８】
制御部（３４４）における第１出力先あるいは第２出力先は、検知結果を表示可能な報知部（３１８）、検知結果の音声を出力可能なスピーカ（４１０）、本制御装置（３００）にネットワーク（４２０）を介して接続された第１携帯端末装置（５００）あるいは第２携帯端末装置（５００）のうちの少なくとも１つである。
【００６９】
センサは、施設に設けられた開閉部材に設置されたセンサであって、かつ戸締まり状態を検知可能なセンサであり、制御部（３４４）は、第２入力部（３４２）において信号を受けつけ、かつ第１入力部（３４０）において受けつけた検知結果が戸締まり状態を示す場合に、戸締まり状態が不完全な戸締まり状態に変化したときに警告を出力させる警戒モードを設定する。
【００７０】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【００７１】
実施例１と実施例２との組合せも有効である。本変形例によれば、実施例１と実施例２との組合せによる効果を得ることができる。
【符号の説明】
【００７２】
１００  施設、  ２２０  窓鍵センサ、  ２２２  検知部、  ２２４  制御部、  ２２６  通信部、  ２４０  照明装置、  ２４２  制御部、  ２４４  操作部、  ２４６  通信部、  ２６０  空調装置、  ２６２  制御部、  ２６４  操作部、  ２６６  通信部、  ２８０  操作装置、  ２８２  押し釦、  ２８４  制御部、  ２８６  通信部、  ３００  制御装置、  ３１０  第１通信部、  ３１２  第２通信部、  ３１４  記憶部、  ３１６  操作部、  ３１８  報知部、  ３３０  処理部、  ３４０  第１入力部、  ３４２  第２入力部、  ３４４  制御部、  ３４６  出力部、  ４００  ルータ、  ４１０  スピーカ、  ４２０  ネットワーク、  ４４０  サーバ、  ５００  携帯端末装置、  ６００  設定装置、  ６１０  入力部、  ６１２  記憶部、  ６１４  認証部、  ６１６  制御部、  ６１８  出力部、  １０００  制御システム。
【図１】
2020202435.tif 000003
【図２】
2020202435.tif 000004
【図３】
2020202435.tif 000005
【図４】
2020202435.tif 000006
【図５】
2020202435.tif 000007
【図６】
2020202435.tif 000008
【図７】
2020202435.tif 000009
【図８】
2020202435.tif 000010
【図９】
2020202435.tif 000011